(57)【要約】【課題】複数のエレベータを備えたエレベータシステムにユーザを割り当てる方法を提供する。【解決手段】ユーザは、行き先コールを出す。そうするとすぐに、少なくとも１つのエレベータが、行き先コールに応じると決定されて、エレベータを識別する音響信号によってユーザに告げられる。それぞれ異なるエレベータを指定する信号のすべてが、ただ１つの単一周波数信号トーンだけを用いて形成され、個々のエレベータを識別する様々な信号は、事前定義された信号継続時間、および／または事前定義された少なくとも１つの信号中断によりユーザに区別可能である。本発明は、さらに、この方法のために備えられたエレベータシステムに関する。【選択図】なし【特許請求の範囲】
【請求項１】
ユーザが行き先コールを出し、少なくとも１つのエレベータが、行き先コールに応じると決定され、エレベータを指定する音響信号によってユーザに告げられる、複数のエレベータを備えたエレベータシステムにユーザを割り当てる方法であって、複数のエレベータを指定する信号のすべてが、ただ１つの単一周波数信号トーンだけを用いて形成され、個々のエレベータを識別する様々な信号が、事前定義された信号継続時間、および／または少なくとも１つの事前定義された信号中断により、ユーザにとって区別可能であることを特徴とする、方法。
【請求項２】
信号が、事前定義された信号コードを用いて、好ましくはモールスアルファベット符号を用いて構成されることを特徴とする、請求項１に記載の方法。
【請求項３】
複数のエレベータが決定され、決定されたエレベータのそれぞれについて決定される信号が、時間的に互いに離れて出されることを特徴とする、請求項１または２に記載の方法。
【請求項４】
ユーザが、行き先コール発行モジュールの少なくとも１つのスイッチを１回または複数回駆動することによって行き先コールを出すことを特徴とする、請求項１から３の一項に記載の方法。
【請求項５】
ユーザが、音響信号によって行き先コール発行モジュールに誘導されることを特徴とする、請求項４に記載の方法。
【請求項６】
複数のエレベータと、行き先コールを発行する少なくとも１つの行き先コール発行モジュールと、行き先コールに応じるエレベータを決定する行き先コール制御モジュールと、決定されたエレベータにユーザを割り当てるための音響信号を発する少なくとも１つの音響信号モジュールとを備えたエレベータシステムであって、それぞれ異なるエレベータのすべてを識別する信号が、ただ１つの単一周波数信号トーンだけを用いて形成され、個々のエレベータを識別する様々な信号が、事前定義された信号継続時間、および／またはユーザが区別することができる少なくとも１つの事前定義された信号中断によって認識可能であることを特徴とする、エレベータシステム。
【請求項７】
信号が、事前定義された信号コードを用いて、好ましくはモールスアルファベット符号を用いて構成されることを特徴とする、請求項６に記載のエレベータシステム。
【請求項８】
行き先コール発行モジュールが、エレベータの踊り場部分に設けられ、少なくとも１つのスイッチを有することを特徴とする、請求項６または７に記載のエレベータシステム。
【請求項９】
行き先コール発行モジュールが、特定の行き先を指定する触覚型手段によってそれぞれが識別される、複数のスイッチを含むことを特徴とする、請求項６から８の一項に記載のエレベータ設備。
【請求項１０】
信号モジュールが、エレベータ昇降路扉の部分に、エレベータかごの部分に、および／またはエレベータの踊り場の部分に配置されることを特徴とする、請求項６から９の一項に記載のエレベータシステム。
【発明の詳細な説明】
【技術分野】
【０００１】
本発明は、複数のエレベータを備えたエレベータシステムにユーザを割り当てる方法に関し、ユーザが行き先コール（ｄｅｓｔｉｎａｔｉｏｎ  ｃａｌｌ）を出し、行き先コールに応じる少なくとも１つのエレベータが、決定され、そのエレベータを指定する音響信号によってユーザに告げられる。本発明は、さらに、当該エレベータシステムに関する。
【背景技術】
【０００２】
従来、エレベータシステムへのユーザの割当ては、主として光信号モジュールを用いて、たとえば昇降口扉の近くに設けられた表示モジュールを用いて行われる。行き先コールを出した後、各階の踊り場のユーザは、所望の行き先階に運ばれるにはどのエレベータに乗らなければならないかを認識するために、様々なエレベータの表示モジュールを観察しなければならない。しかし、こうした割当ては、目の不自由な人、特に視覚障害者には適していない。
【０００３】
ＷＯ  ２００５／１１８４５０から、複数のエレベータを備えたエレベータシステムが知られており、このシステムでは、各階および各エレベータの近くに、それぞれのエレベータまたはエレベータ群を指定するメロディ音を出す、いわゆるエレベータ識別子が設けられる。メロディの音は、異なるように聞こえる複数のメロディが様々なエレベータに使用可能であるようなやり方で構成される。行き先コールを出すために、複数のスイッチおよび拡声器を備えた行き先コール発行モジュールが設けられる。このモジュール内では、様々な行き先階に割り当てられるスイッチが、様々な色で識別される。
【特許文献１】国際公開第２００５／１１８４５０号パンフレット
【発明の開示】
【発明が解決しようとする課題】
【０００４】
しかし、このタイプのエレベータシステムには、複数のエレベータの識別のため、明らかに区別することができるメロディが作成されなければならず、結果として、たとえばＭＰ３プレーヤーまたは類似物など、比較的に精密に設計された音響信号モジュールが実装されなければならないという欠点がある。
【０００５】
本発明の課題は、ユーザの割当てが音響信号を用いて単純なやり方で、かつ単純に構成された要素を用いて行われるように、最初に述べたタイプのエレベータシステムにユーザを割り当てる方法をさらに開発することである。さらなる課題は、この方法の実行のためのこうしたエレベータシステムを指定することである。
【課題を解決するための手段】
【０００６】
本発明の請求項１に記載のこの課題への解決策として、最初に述べたタイプの方法では、それぞれ異なるエレベータを指定する信号のすべてが、ただ１つの単一周波数信号トーンだけを用いて形成され、個々のエレベータを識別する様々な信号が、事前定義された信号継続時間、および／またはユーザが区別することができる少なくとも１つの事前定義された信号中断によって認識可能であることが予想される。
【０００７】
本発明による方法は、決定されたエレベータを告げると、特定の周波数を有する信号トーンによる様々なエレベータの識別が、信号トーンが休止により中断され、定義された時間期間の間継続し、かつ／またはこれらの設計上の特徴を組み合わせることよって構成されるので実現されるという知識に基づくものである。このように、信号は、信号コードの形で、換言すると、それらの間に選択可能に挿入された休止を伴う様々な長さの音によって構成されることができる。このため、そのベースとして単一の不変の非変調信号を有するいわゆるモールス符号を使用することが好ましく、その結果、比較的少ないハードウェアしか必要とせず、またその結果として、単純に構成された単一周波数エミッタが、音響信号モジュールとして使用されることができる。
【０００８】
本発明による方法の有利なさらなる発展形態は、請求項２から５に記述されている。
【０００９】
この方法のさらに有利なさらなる発展形態では、信号は、事前定義された信号コードを用いて、好ましくはモールスアルファベット符号を用いて構成される。
【００１０】
複数の適切なエレベータが行き先コールに応じると決定される場合は、決定されたエレベータのそれぞれについて定義される信号が、時間的に互いに離れて出されることができる。
【００１１】
さらに有利なさらなる発展形態では、ユーザは、行き先コール発行モジュールの少なくとも１つのスイッチを１回または複数回駆動することによって行き先コールを出す。たとえば、エレベータシステムの各階のアクセス領域内にスイッチが１つしかない行き先コール発行モジュールが設けられることが可能であり、このスイッチは、対応する回数スイッチを駆動することによってユーザが所望の行き先階を指定することを可能にする。たとえば、５階への移動を求める行き先コールを伝えるために、ユーザは、スイッチを５回押すことによってスイッチを駆動する。行き先コール発行モジュールは、スイッチの各駆動が単一周波数信号トーンによって確認されるように、音響信号モジュールを便宜上含むこともできる。
【００１２】
さらなる実施形態では、ユーザは、音響信号によって行き先コール発行モジュールに誘導される。この手段によって、視覚障害のある人は、建物入った後、行き先コールを発行することができるように、単一周波数信号トーンの形の音響信号、または複数のトーンからなるメロディによって行き先コール発行モジュールにまず誘導されることが保証され得る。
【００１３】
さらに、請求項６による前述の課題の解決策について、行き先コールを発行する少なくとも１つの行き先コール発行モジュールと、行き先コールに応じるエレベータを決定する行き先コール制御モジュールと、決定されたエレベータにユーザを割り当てるための音響信号を発する少なくとも１つの音響信号モジュールとを含む、複数のエレベータを備えたエレベータシステムが提案され、それぞれ異なるエレベータのすべてを識別する信号が、ただ１つの単一周波数トーンだけを用いて形成され、個々のエレベータを識別する様々な信号が、事前定義された信号継続時間、および／またはユーザが区別することができる少なくとも１つの事前定義された信号中断によって認識可能である。
【００１４】
本発明によるエレベータシステムの有利な実施形態は、請求項７から１０に記載されている。
【００１５】
こうしたやり方で実行されるエレベータシステムは、本発明による方法の利点を活用するものである。本発明による方法の上記説明によれば、様々なエレベータの指定のために、信号が所定の信号コードを用いて、好ましくはモールスアルファベット符号によって構成されるならば有利である。
【００１６】
行き先コール発行モジュールがエレベータの踊り場の近くに設けられ、少なくとも１つのスイッチを有することが有利である。行き先コール発行モジュールは、スイッチの関数、たとえば行き先階を指定する触覚型手段によってそれぞれが識別される、複数のスイッチを含むことが好ましい。したがって、たとえば電話キーパッド、または階に対応する複数のスイッチが設けられることができ、それぞれのスイッチには、視覚障害者が触覚で検出することができる対応する表面構造を用いて、ブライユ点字の形の各階の表示（ｄｅｓｉｇｎａｔｉｏｎ）が備えられる。信号モジュールは、エレベータ昇降口扉の近くに、エレベータかごの近くに、かつ／または各階のエレベータの踊り場部分に配置されることが好ましい。エレベータシステムの各停止場の入口部分に、少なくとも１つの行き先コール発行モジュールが設けられることが好ましい。
【００１７】
行き先コール発行モジュールは、光学的かつ触覚的に認識可能な障害者マーク（ｈａｎｄｉｃａｐ  ｓｙｍｂｏｌ）で指定された、さらなるスイッチを備えることが有利である。このプッシュボタンの機能は、周囲のものが信号トーンの音に絶えずさらされることを防ぐために、行き先の入力前にこのプッシュボタンが駆動されるときにだけ音響信号が生成されることである。
【００１８】
行き先コール発行モジュールにＲＦＩＤ読取り装置が設けられ、障害者がこの読取り装置によって検出可能なカードまたは携帯電話を有することが有利である。このカードに関連して、移動先、障害のタイプが格納される。障害者は、行き先コールの発行および音響オリエンテーション補助の自動受信のため、このカードを読取り装置の近くに持って来ることだけが必要である。
【発明を実施するための最良の形態】
【００１９】
本発明による方法および装置について、例示的な一実施形態を参照して以下でさらに説明する。
【００２０】
本発明によるエレベータシステムは、複数の階の間で移動することができる複数のエレベータを含む。エレベータシステムを制御するため、行き先コール発行モジュールを備えた制御モジュールが提供され、この制御モジュールは、ユーザによって出される行き先コールを受信し、そうするとすぐに、行き先コールに応じるのに適した少なくとも１つのエレベータを決定する。行き先コールを出すため、エレベータシステムの各踊り場部分の場所に、階の番号に対応する複数のスイッチを備えた行き先コール発行モジュールがある。それぞれのスイッチには、階を指定するため、突起部を伴うブライユ点字の形の触覚型手段が設けられる。さらに、各エレベータの昇降口扉に、音響信号モジュールが割り当てられる。この信号モジュールは、エレベータ昇降口のうちの１つにユーザを割り当てるために、休止によって分離される単一周波数信号トーンのシーケンスを発するように装備された単一周波数信号トーンエミッタを含む。
【００２１】
視覚障害のある人が今、こうしたエレベータ設備を備えている建物に入り、エレベータシステムのロビー部分の一階の部分で行き先コール発行モジュールに到達する場合、このユーザは、その触覚によって、所望の行き先階に対応するブライユ点字でマーキングされたスイッチを識別することができる。それぞれのスイッチの駆動後、この行き先コールは、行き先コール発行モジュールに送信される。行き先コール制御モジュールは、ユーザを所望の行き先階に運ぶのに適したエレベータを決定し、そのエレベータに関連する表示、たとえば文字や数字を、行き先コール発行モジュールの音響信号モジュールを用いて、それに応じて構成された単一周波数信号トーンを用いてユーザに提供する。したがって、たとえば、エレベータシステム内にある４つのエレベータＡ、Ｂ、Ｃ、Ｄが、信号トーン（「−」＝長い、「．」＝短い）の以下のシーケンス、すなわちエレベータＡ：−−−、エレベータＢ：．−−、エレベータＣ：−．−、エレベータＤ：．．−によって指示されることができる。個々の信号トーン成分「長」および「短」の間に、やはり事前定義された長さである、信号の中断が設けられる。その後に、同じ単一周波数信号トーンが、割り当てられたエレベータ昇降口扉の信号モジュールから聞こえる。
【００２２】
このようにして、視覚障害のある人は、信号トーンによって自分の向きを定め、割り当てられたエレベータ昇降口扉の方向に移動することができる。さらに、開始階にエレベータかごが到着した後、またエレベータ昇降口扉およびエレベータかご扉が開いた後、エレベータかご内またはその上に配置されたさらなる音響信号モジュールが、エレベータかごに現在乗ることができることをユーザに伝えるために、同じ信号トーンを発することが予想され得る。
【００２３】
上述の例示的な実施形態は、本発明による方法、および本発明によるエレベータ設備に関するものであり、単一周波数トーンエミッタを使用することによって、比較的単純に構成された音響信号モジュールが使用されることができ、また複数の繊細なメロディの音を準備しておく必要がないことを特に特徴とする。
【外国語明細書】
2007284252.tif 000002
2007284252.tif 000003
2007284252.tif 000004
2007284252.tif 000005
2007284252.tif 000006
2007284252.tif 000007
2007284252.tif 000008
2007284252.tif 000009
2007284252.tif 000010
2007284252.tif 000011